(57)【要約】紙葉類をＺ状に折り曲げて形成した郵便ハガキ２１の内部に、顧客情報と展示会またはセミナーの情報を記憶したＩＣチップと印刷したループアンテナとによる非接触ＩＣカード３０を設けるとともに、カード形状の切り込み２１ａを入れ、この形状内に前記顧客情報に基づく前記顧客宛先を前記紙葉類の郵送宛先欄に自動印刷し、これを郵送することで展示会等招待カードを発行する。展示会場またはセミナー会場に備えたカードデータ読み取り装置４０で読み取られた前記顧客情報と新たに発生したトランザクションデータ１４を管理センターの来場者データベース１０ｂに送信することで、情報を一元管理する。
2003037646.tif 000002
【特許請求の範囲】
【請求項１】
１枚の紙葉類を真中の紙葉片とこれに連続する第１の紙葉片と第２の紙葉片で構成し、前記真中の紙葉片に対して前記第１の紙葉片を接着する第１のフィルム状接着層と、前記真中の紙葉片に対して前記第２の紙葉片を接着する第２のフィルム状接着層とを備え、前記真中の紙葉片に対して前記第１の紙葉片と前記第２の紙葉片をＺ状に折り曲げて加熱加圧することにより、前記真中の紙葉片の両面に前記第１の紙葉片と前記第２の紙葉片を接着するようにした紙葉類であって、
前記第１のフィルム状接着層と前記真中の紙葉片との間に、顧客情報及び展示会またはセミナーの情報を記憶したＩＣチップと印刷により得られるループアンテナとを含む非接触ＩＣカードを設け、前記第１のフィルム状接着層は、加熱加圧処理をすることによって剥離不可となるフィルム状接着層で構成し、前記第２のフィルム状接着層は、加熱加圧処理をすることによって剥離可能となるフィルム状接着層で構成し、前記真中の紙葉片と前記第１の紙葉片には、前記ＩＣカードの周囲に沿って切り込みが形成され、前記第１の紙葉片の前記切り込み内には顧客宛先が印刷されており、前記真中の紙葉片と前記第２の紙葉片との接着面には展示会またはセミナーの情報が印刷されていることを特徴とする、展示会等招待カード。
【請求項２】
１枚の紙葉類を真中の紙葉片とこれに連続する第１の紙葉片と第２の紙葉片で構成し、前記真中の紙葉片に対して前記第１の紙葉片を接着する第１のフィルム状接着層と、前記第１の紙葉片に対して前記第２の紙葉片を接着する第２のフィルム状接着層とを備え、前記真中の紙葉片に対して前記第１の紙葉片を折り曲げて、さらにその上に前記第２の紙葉片を折り曲げて加熱加圧することにより、前記真中の紙葉片に対して前記第１の紙葉片と前記第２の紙葉片を接着するようにした紙葉類であって、
前記第１のフィルム状接着層と前記真中の紙葉片との間に、顧客情報及び展示会またはセミナーの情報を記憶したＩＣチップと印刷により得られるループアンテナとを含む非接触ＩＣカードを設け、前記第１のフィルム状接着層は、加熱加圧処理をすることによって剥離不可となるフィルム状接着層で構成し、前記第２のフィルム状接着層は、加熱加圧処理をすることによって剥離可能となるフィルム状接着層で構成し、前記真中の紙葉片と前記第１の紙葉片には、前記ＩＣカードの周囲に沿って切り込みが形成され、前記真中の紙葉片の前記切り込み内には顧客宛先が印刷されており、前記第１の紙葉片と前記第２の紙葉片との接着面には展示会またはセミナーの情報が印刷されていることを特徴とする、展示会等招待カード。
【請求項３】
前記請求項１に記載の展示会等招待カードを作成するときに、前記第１の紙葉片の前記切り込み内に前記顧客宛先を前記顧客情報に基づいて自動印刷し、これを郵送することで展示会等招待カードを発行することを特徴とする展示会等招待カードの発行方法。
【請求項４】
前記請求項２に記載の展示会等招待カードを作成するときに、前記真中の紙葉片の前記切り込み内に前記顧客宛先を前記顧客情報に基づいて自動印刷し、これを郵送することで展示会等招待カードを発行することを特徴とする展示会等招待カードの発行方法。
【請求項５】
展示会場またはセミナー会場の各ブースに設けられ、各々がネットワーク接続された端末装置およびこれに接続されるカードデータ読み取り装置を備え、前記カードデータ読み取り装置は、請求項１または請求項２に記載の前記展示会等招待カードから切り取られた前記非接触ＩＣカードとの間で非接触通信を行って該非接触ＩＣカード内の情報がリアルタイムで送信される管理センターを備える展示会等来場者管理システム。
【請求項６】
前記非接触ＩＣカードは前記カードデータ読み取り装置との通信毎に予め設定したポイント数をカテゴリー別に累積記憶し、前記カードデータ読み取り装置は、前記非接触ＩＣカードに累積して記憶されたポイント数をカテゴリー別に表示する表示器を有することを特徴とする請求項５に記載の展示会等来場者管理システム。
【発明の詳細な説明】
技術分野
本発明は、非接触ＩＣカードを使用して展示会やセミナー等に招待する招待カード、その発行方法、および顧客の情報管理システムに関する。
背景技術
従来、展示会やセミナー（以下、展示会等と称する）を開催する場合、来場者に関する情報管理は、紙による記録が主たるものであった。例えば、主催者が受け付けで来場者の名刺を受け付けて、これから得られる顧客情報を一覧リストにし、さらにどこのブースが良かったか等の来場者の意識を、あらかじめ準備されたアンケート用紙に記入させることにより、来場者の意識調査等を行っていた。また、展示会やセミナーの案内も、主催者が顧客データベースから任意に抽出した招待客にハガキ等で案内状を送付する方法であった。
しかしながら、上記のような名刺やアンケートを主体とした展示会等来場者を対象とした顧客管理方法では、以下の問題があった。
（１）  展示会等への来場者は、ハガキ大の案内状を持参し、受け付けで名刺を出したりアンケート記入等をしなければならないため極めて煩雑である。
（２）  主催者側は、招待客もしくは来場者の情報をリアルタイムで取得することができない。すべて紙に記録された情報を手作業で集計することになるため、集計に手間がかかり、間違いも起こりやすい。
（３）  来場者の情報は紙情報もしくは主催者の記憶によるために、データの分析が容易でなく、正確性に劣る。
本発明の目的は、紙葉類上に顧客情報を含むＩＣチップを印刷した任意のカードを発行することができると共に、来場者のデータ分析などを容易にする招待カード、その発行方法、および顧客の情報管理システムを提供することにある。
発明の開示
本発明は、上記の課題を解決するために、以下のように構成される。なお、以下、展示会等を単に展示会と称する。
本発明では、顧客に対して、展示会情報を記憶した非接触ＩＣカードを郵送することによって招待カードを発行する。非接触ＩＣカードは、紙葉類に任意のカード形状の切り込みを入れ、この形状内に顧客情報を含む展示会情報を記憶したＩＣチップを配置すると共にループアンテナを配置することによって構成する。したがって、紙葉類から切り込みに沿ってカード形状の非接触ＩＣカードを切り取ると、これが展示会招待カードとして利用できるようになる。紙葉類は、郵便ハガキに限らずあらゆる紙を含むものであるが、郵送宛先欄に対しては、顧客宛先を自動的に印刷される。最も典型的な紙葉類は郵便ハガキであり、この他、封書類、チラシ、新聞紙の折込広告、パンフレットなども使用可能である。これらの紙葉類が用いられる時には、紙葉類自身の郵送宛先欄または、封書内に封入する場合には、その封書の郵送宛先欄に顧客宛先が自動印刷される。非接触ＩＣカードは、ループアンテナを印刷形成し、さらにこのループアンテナにＩＣチップを接続することで構成できるが、ＩＣチップを非常に小さなものにすることによって非接触ＩＣカードを通常の紙よりも薄いものにできる。そこで、切り込みを入れた形状内にこの非接触ＩＣカードを構成することによって、同ＩＣカードを紙葉類から取り去ることで、展示会招待カードとして使用することが可能になる。
本発明では、展示会招待カードを１枚の紙葉類を真中の紙葉片の両側を折り曲げて、これに連続する第１の紙葉片と第２の紙葉片を形成する、前記真中の紙葉片に対して前記第１の紙葉片は第１のフィルム状接着層で接着する。前記真中の紙葉片に対して前記第２の紙葉片は第２のフィルム状接着層で接着する。前記真中の紙葉片に対して前記第１の紙葉片と前記第２の紙葉片をＺ状に折り曲げて加熱加圧することにより、前記真中の紙葉片の両面に前記第１の紙葉片と前記第２の紙葉片を接着する。
また、前記第１のフィルム状接着層と前記真中の紙葉片との間に、顧客情報及び展示会情報を記憶したＩＣチップと印刷により得られるループアンテナとを含む非接触ＩＣカードを配置する。前記第１のフィルム状接着層は、加熱加圧処理をすることによって剥離不可となるフィルム状接着層で構成される。これに対して、前記第２のフィルム状接着層は、加熱加圧処理をすることによって剥離可能となるフィルム状接着層で構成される。さらに、前記真中の紙葉片と前記第１の紙葉片には、前記ＩＣカードの周囲に沿って切り込みが形成され、前記第１の紙葉片の前記切り込み内には顧客宛先が印刷されており、前記真中の紙葉片と前記第２の紙葉片との接着面には展示会情報が印刷されている。
本発明では、この非接触ＩＣカードを含む紙葉類を展示会招待客に郵送するために、顧客は、このＩＣカードをハガキから切り取り、保管する。また、顧客情報は非接触ＩＣカードに記憶されているために、この非接触ＩＣカードを展示会招待カードとして使用する時にデータのやりとりが可能になる。したがって、データの収集や分析がコンピュータを利用することによって容易に且つ正確に行なうことができる。
本発明では、また、第１の紙葉片が剥離不可の第１のフィルム状接着層により真中の紙葉片に接着されるため、その間にある非接触ＩＣカードは、外部から完全に隠れてしまう。非接触ＩＣカードは通信効率を良くするために比較的大きな形状のアンテナを要するが、これが外部から隠れてしまうことにより、カード全体の見栄えが悪くならないし、顧客は、非接触ＩＣカード自体の存在を気にする必要がなくなる。また、本発明の構成では、非接触ＩＣカードが完全に隠れるために第１の紙葉片の非接着面の全体と、真中の紙葉片及び第２の紙葉片の接着面全体とが印刷領域として使用可能であり、印刷面積を充分に確保することが出来る。
本発明では、さらに、熱圧着時の非接触ＩＣカードへの機械的・物理的ストレスを軽減出来る。熱圧着時においては、非接触ＩＣカードは第１の紙葉片と真中の紙葉片とでサンドイッチ状態に挟まれた状態で圧着（ローラによる）されるため、この紙葉片によって圧着力を吸収し非接触ＩＣカードに加わる圧力を軽減出来るからである。
また、真中の紙葉片の面に非接触ＩＣカードを配置して、その上に第１の紙葉片と第２の紙葉片を重ねて熱圧着する構造でも、同様に上記の利点を得ることの出来る展示会招待カードを構成することが出来る。
本発明では、また、非接触ＩＣカードに記憶されている顧客情報に基づいて前記真中の紙葉片の前記切り込み内に前記顧客宛先を自動印刷する。これにより、非接触ＩＣカードに記憶されている顧客情報と異なった顧客の宛て先が紙葉片に印刷されるのを確実に防止出来る。
本発明では、また、顧客情報を蓄積したデータベースを基に、データベースの更新、削除、追加等が容易に行え、次回の展示会の招待客を選定したり、展示会場でのブースの配置等を決定するための参考データを作成することが可能になる。
本発明では、また、主催者は、展示会場での来場者の情報をリアルタイムで取得でき、容易に顧客情報を分析、統計処理することができる。特に、来場者がブースに来た時に、来場事実、来場日時を少なくともカード読み取り装置に入力することになるため、ブース毎の来場者意識分析やブース別時間分析等をリアルタイムで管理センタで行うことができる。
本発明でカテゴリーとは、展示商品のカテゴリーをいう。したがって、一つのブースに複数のカテゴリーが設定される場合もある。本発明では、出展者もしくは主催者は、来場者の興味傾向をカード読み取り装置に接続した表示器で即座に判断できる。これにより、出展者もしくは主催者は、ブースに立ち寄る来場者へ的確な対応をすることができる。
発明を実施するための最良の形態
図１は、この発明の実施形態である汎用来場者管理システムの概要図である。
展示会主催者２は、データベースサーバ１０と郵便ハガキ自動作成装置１１とを有している。  データベースサーバ１０は、顧客データベース１０ａと来場者データベース１０ｂと展示会場データベース１０ｃとを少なくとも備えている。展示会場データベース１０ｃには、展示会場のレイアウト、ブースの配置のデータが記録されている。ユーザデータベース１０ｄは、上記顧客データベースサーバ１０ａを介して選定された招待客の中から招待客情報を記憶する。
展示会主催者２は、ＩＣチップとループアンテナとをカード形状の紙の上に形成して非接触ＩＣカードを構成し、且つこの非接触ＩＣカードを郵便ハガキ内にほぼ中央部には、上記非接触ＩＣカードを簡単に取り出すことが出来るように切り込みが形成されている。このようにすると、郵便ハガキの略中央部に非接触ＩＣカードが取外し可能に保持される。なお、ここでは上記非接触ＩＣカードを備えた郵便ハガキをＤＣ（デジタルカード）メール１と称する。
展示会主催者２は、さらに、上記非接触ＩＣカードの表面に招待客宛先を自動印刷する。この招待客宛先は上記招待客情報から抽出される。
郵便ハガキ自動作成装置１１は、データベースサーバ１０において、招待客が選定され、各データベースに必要なデータが記憶された時に起動する。この装置は、非接触ＩＣカードのＩＣチップ内に、招待客情報と展示会情報と、さらに必要に応じて選択される情報を記憶すると共にこのカードが取り付けられるＤＣメール１の宛先欄に上記展示会招待客情報から得られる展示会招待客氏名と住所を印刷する。
展示会主催者２は、上記の処理を終えた後、ＤＣメール１を招待客３に対して郵送する。
上記ＤＣメール１を受け取った招待客３は、ＤＣメール１の切り込みから非接触ＩＣカードを取り外して、展示会招待カード４として保管する。
招待客は、以上のようにして入手した展示会招待カード４を使って展示会会場６に入場し、その後会場６内のブースを見学する。会場の入り口には受け付け５があり、ここには、カードデータ読み取り装置４０とこれに接続された端末装置８が配置される。また、各端末装置８はネットワーク接続されている。また、特定の端末装置８ａは、代表端末８ａとして外部に配置されている管理センター９のサーバに接続されている。各ブースのカードデータ読み取り装置４０は、上記招待カード４と非接触でデータ通信を行うことができ、データ通信は、同装置４０上に招待カード４をかざすだけで実行される。すなわち、顧客が招待カード４を上記カードデータ読み取り装置４０上にかざすと、ＩＣチップに書き込まれた顧客情報、展示会情報１３が自動的に読み取られる。この時、招待カード４は非接触ＩＣカードで構成されているために、招待カード４をカードデータ読み取り装置４０上にかざす度にトランザクションデータ１４が発生する。この随時発生するトランザクションデータ１４は、例えば、受け付け５では、受付日時データ、各ブースでは、ブース整理番号データ、ブース受付時刻データを含むブースデータ等である。このトランザクションデータ１４は、顧客情報、展示会情報１３と共にネットワーク接続された代表端末装置８ａに送られ、そこから管理センター９のデータベースサーバ１０に送信される。この送られてきたデータを基に、来場者データベース１０ｂが更新される。
以上のように、このシステムでは、招待客の選定から、招待カード４を発行するまでに、紙情報を使用することが全くない。このため、招待カード４の発行が極めて便利であり、しかも前記招待カード４は発行すべき人に確実に渡すことができる。また、顧客情報、展示会情報１３が一元的に管理されているので、統計処理や傾向分析を行うことや必要な情報を任意に抽出することが容易にできる。
図２は、展示会場における来場者３の情報の流れを示すフローチャートである。図に示すように、来場者３の情報は、トランザクションデータ１４が顧客情報、展示会情報１３に付加されて、代表端末装置８ａから管理センター９の来場者データベース１０ｂに送信される。
次に各処理をステップ毎に説明する。
ステップ１は、受け付け５に来た来場者３が、招待客であるかどうかを判定する。招待カード４の提示があれば、受け付け５のカードデータ読み取り装置４０に招待カード４をかざす。この時、来場者３の保有する招待カード４に書き込まれた顧客情報、展示会情報１３を読み取ると共に、トランザクションデータ１４として受け付け日時データが付加される（ステップ２）。なお、招待カード４の提示がなければ、一般来場者として非電子的な処理をする。例えば、氏名、性別、年齢等の記入欄を設けたアンケート用紙に記入してもらう。また、顧客情報、展示会情報１３は、カードデータ読み取り装置４０に招待カード４をかざすたけで主催者２に送信されるので、主催者２は、来場者３の区別を秘密裏に知ることができる。受け付けを終えた来場者３は、ステップ３に示すように展示会場６に入場し、各ブースを見学する。来場者３は、任意に興味のあるブースを選択し、見学する（ステップ４）。来場者３は、各ブース６に立ち寄ったときに、各ブースに配置されているカードデータ読み取り装置４０に招待カード４をかざす。この時、ブース整理番号、ブース来場記録データ、立ち寄り時刻等がトランザクションデータ１４として発生し、読み取った顧客情報、展示会情報１３とともにネットワーク接続された代表端末装置８ａに送られる（ステップ５）。また、現在のブースへの立ち寄り時刻と、直前のブースへの立ち寄り時刻に基づいて直前のブースへの滞留時間データも記録される。代表端末装置８ａに送られたデータは、リアルタイムで管理センター９の来場者データベース１０ｂに送信され、前記データベースを更新する（ステップ６）。
管理センター９のディスプレイ１２には、図１に示すような顧客情報、展示会情報１３内の顧客情報とトランザクションデータ１４が表示される。管理センター９内の主催者は、ディスプレイ１２に表示された情報を基に、展示会場の主催者２もしくは出展者７に状況を報告することも、何等かの指示をすることも可能である。なお、ステップ４とステップ５とは、１人の来場者３につき、該来場者３が退場するまで随時くりかえされる（ステップ７）。また、新たに、来場者３が来た時は、ステップ１からステップ７までの処理が同様に並行して行われる。さらに、展示会全体としては、上記の処理が展示会の開催期間が終了するまで行われる（ステップ８）。開催期間が長期（１ヶ月〜）にわたる場合は、曜日別、天気別などのトランザクションデータ１４を受け付け５で発生するようにしておき、管理センター９において統計処理をして来場者３の傾向分析、来場予測を行うこともできる。展示会が終了すると、来場者データベース１０ｂの更新が終了し、展示場情報とともに、保存される（ステップ９）。更新された来場者データベース１０ｂは、次の展示会開催の重要なデータとして活用される。例えば、前記更新された来場者データベース１０ｂを基に、立ち寄りブース、ブースの見学時間等の情報から顧客の興味等を分析し、次回の招待客リストを作成して次回の招待客を選定することができる。これを基に、次回の来場者３を確保する資料および出展者７を確保する資料を作成することができる。また、随時更新されていく来場者データベース１０ｂの分析結果を基に展示会場データベース１０ｃの会場のレイアウトおよびブースの配置等を変更することもできる。前記更新された展示会場データベース１０ｃは、展示会開催終了後、次回の展示会の参考資料とすることができる。さらに、該システムはリアルタイムで稼動するので、展示会開催中においても、前記分析結果を基に会場のレイアウトおよびブースの配置等を随時変更することも可能である。ブースで発生したトランザクションデータ１４のブース整理番号、滞留時間、来場記録などのデータをビジュアルにディスプレイに表示すると、来場者３の会場内での移動を示す線を描くことも可能であり、主催者２は、来場者３の群としての行動を把握できる。
他に、出展者７においては、今後の商品開発の参考データとして、また出展後の営業フォローのデータとして利用できる。このデータを基に、費用対効果が容易に算出できるので出展者７の企業戦略に生かすことができる。
本発明の他の実施形態として、非接触ＩＣカードに商品または商品情報提供のカテゴリー別ポイント数の記憶部を設け、且つカードデータ読み取り装置４０に、非接触ＩＣカードとの通信を行ったときに、該カードに記憶されているカテゴリー別ポイント数を表示する表示器を備えるようにすることもできる。ここでいうカテゴリーは、商品毎のカテゴリーである。
すなわち、展示されている商品のカテゴリーとは、例えば、パソコン、液晶テレビ、携帯電話など、メーカが異なるものでも同一商品群に属するグループを言う。来場者３は、或るブースに展示されたカテゴリーＡに属する商品に興味を示すとする。カードデータ読み取り装置４０に非接触ＩＣカードをかざして相互で通信が行われると、前記非接触ＩＣカードのカテゴリーＡにポイント１が記憶される。さらに、別のブースで同一のカテゴリーに属する商品Ｂに興味を示すと、同様にカテゴリーＡにポイント１が累積して記憶される。その結果、来場者３の招待カードには、カテゴリーＡに２ポイント、Ｂに０ポイント、Ｃに０ポイントとカテゴリー別のポイント数が記憶され、このカテゴリー別ポイント数が表示器に表示される。これにより、主催者２もしくは出展者７は、来場者３の興味をその場で把握し、的確な対応をすることができる。
また、展示商品の情報提供方法のカテゴリーを参照させることも可能である。この場合、商品カテゴリー毎のポイント数を考慮しても考慮しなくても良い。例えば、来場者３がブースに立ち寄って興味を示した商品に対して、主催者２もしくは出展者７が、言葉による説明を行ったり、関連資料の提供を行ったりするときにポイント数を加算する。
例えば、見学だけなら３ポイント、説明だけをした場合は５ポイント、資料を渡した場合は１０ポイントというように決めておく。このようにしておくと、商品カテゴリー毎のポイント数を考慮しない場合には、来場者３が、或るブースで商品Ａを見学し、別のブースでは、商品Ａと同一の商品カテゴリーに属する商品の説明を受けたとすると、非接触ＩＣカードには、商品Ａに対応するポイント数が８ポイントと累積して記憶される。次のブースに立ち寄ると、表示器には、商品Ａに対応するポイント数８が表示される。商品カテゴリー毎のポイント数を考慮する場合には、上記のポイント数８に、その商品のカテゴリー別ポイント数が加算される。主催者２もしくは出展者７は、即座に、来場者３がどの商品に興味を示しているかを把握でき、的確な対応をとることができる。
このように、この実施形態では、来場者の興味を簡単に知ることが出来る。なお、これらの情報を管理センターに送信しても良い。
次に、上記非接触ＩＣカードの構成について図３以下を参照して詳細に説明する。
図３は、非接触ＩＣカードを備えたＤＣメール１を構成する郵便ハガキ２１の外観図である。同図（Ａ）は郵便ハガキ２１の表面を示している。この郵便ハガキ２１は、１枚の紙葉類を折り曲げることにより、真中の紙葉片２１ｃとこれに連続する第１の紙葉片２１ｂと第２の紙葉片２１ｄを形成し、真中の紙葉片２１ｃに対して、第１の紙葉片２１ｂと第２の紙葉片２１ｄを重ねて接着することで１枚の郵便ハガキ２１が形成される。このとき、真中の紙葉片２１ｃと第１の紙葉片２１ｂとの間に非接触ＩＣカードがサンドイッチ状に挟まれている。同図（Ａ）において、２１ａは上記非接触ＩＣカードの配置位置の周囲に形成される切り込みである。この切り込み２１ａの内側に、宛て先が印刷される。
同図（Ｂ）は、真中の紙葉片２１ｃに対して第１の紙葉片２１ｂと第２の紙葉片２１ｄとを重ねて接着することで形成した郵便ハガキ２１の側面図である。
上記切り込み２１ａは、通常のクレジットカードやキャッシュカード大の大きさにある。この切り込み２１ａは、郵便ハガキ２１が郵送されている途中では切れることがなく、且つ、手である程度の力を加えて押すことによって切れる程度の切り込みとなっている。この切り込み２１ａは、郵便ハガキ２１の略中央部に形成されているために、この表面（第１の紙葉片２１ｂの表面）には宛先が印刷または書き込まれている。
図４は、上記真中の紙葉片２１ｃ、第１の紙葉片２１ｂ、第２の紙葉片２１ｄを示している。また、図５は、各紙葉片を別の方向から見た図を示している。
図４に示すように、真中の紙葉片２１ｃには、印刷形成したループアンテナ３０ａとこれに接続されるＩＣチップ３０ｂとからなる非接触ＩＣカード３０が配置されている。ループアンテナ３０ａは、薄い銅箔をループ状にしたものであって、この両端にＩＣチップ３０ｂが接続されている。ＩＣチップ３０ｂはループアンテナ３０ａの両端から延出したアルミ箔リード線上にマウントしたものであって、このＩＣチップ３０ｂ自体は極めて小さく且つ薄いものである。このＩＣチップ３０ｂとループアンテナ３０ａとで非接触ＩＣカード３０が構成される。
説明を容易にするため、図４において、第１の紙葉片２１ｂの表面（宛て先が印刷される面）をＡ面、裏面（重ねる時に真中の紙葉片２１ｃの非接触ＩＣカード３０と対向する面）をＢ面とする。また、真中の紙葉片２１ｃの非接触ＩＣカード３０が露出する面をＣ面、その反対側の面をＤ面とする。また、第２の紙葉片２１ｄの表面（重ねる時に真中の紙葉片２１ｃと対向する面）をＥ面、その反対側の面（郵便ハガキ２１を形成したときにハガキ裏面となる面）をＦ面とする。
郵便ハガキ２１を形成するには、真中の紙葉片２１ｃに対して、第１の紙葉片２１ｂと第２の紙葉片２１ｄを重ねて接着させる。重ねる方向は、Ｐ及びＱ方向である。図６に示すように、接着には、フィルム状接着層を使用する。図４のＣ面には第１のフィルム状接着剤２２を置き、Ｄ面には第２のフィルム状接着剤２３を置く。第１のフィルム状接着剤２２は、加熱加圧処理をすることにより剥離不可となるものが使用される。これに対して、第２のフィルム状接着剤２３には、加熱加圧処理をすることにより剥離可能となるものが使用される。図７に示すように、真中の紙葉片２１ｃに第１のフィルム状接着剤２２を置いて第１の紙葉片２１ｂを重ねた状態で、非接触ＩＣカード３０の周辺部に切り込み２１ａを形成する。次いで、真中の紙葉片２１ｃに第２のフィルム状接着剤２３を置いて第２の紙葉片２１ｄを重ねる。この後、この重ねた状態の紙葉をローラ間に通すことにより加熱加圧処理する。
したがって、それぞれのフィルム状接着剤をＣ面とＤ面に挟んで加熱加圧処理を行うとともに、切り込み２１ａを形成することにより、図８に示すように、郵便ハガキ２１の形状の状態から、第２の紙葉片２１ｄのみを剥離することが出来る。第２の紙葉片２１ｄを剥離した状態では、郵便ハガキを受信した顧客は、Ａ，Ｄ，Ｅ，Ｆ面を見ることが出来る。非接触ＩＣカード３０は真中の紙葉片２１ｃと第１の紙葉片２１ｂの間にあって、外部からは見ることが出来ない。また、切り込み２１ａは真中の紙葉片２１ｃと第１の紙葉片２１ｂとに形成されているため、この部分で切り取ることにより、非接触ＩＣカード３０をハガキから切り離すことが出来る。
各紙葉片の面において、Ａ面には顧客の宛名が印刷され、Ｄ面、Ｅ面、Ｆ面には展示会情報が印刷される。すなわち、顧客は、郵便ハガキを受け取るとＦ面において展示会情報の一部を見るとともに、第２の紙葉片２１ｄを剥がすことにより、Ｄ面とＥ面の見開き両面一杯で、その他の展示会情報を見ることができる。このとき、非接触ＩＣカード３０はＤ面にないため、デザインが制約されることがなく、且つ、情報量も多くすることが出来る。
また、ローラにより加熱加圧処理を行うとき、非接触ＩＣカード３０は、真中の紙葉片２１ｃと第１の紙葉片２１ｂ間にサンドイッチ状に挟まれた状態となっているため、加圧時にはこれらの紙が加圧を吸収する。このため、非接触ＩＣカード３０に過大な応力が加わって破損するのを防止出来る。
以上の実施例は、真中の紙葉片２１ｃ、第１の紙葉片２１ｂ、第２の紙葉片２１ｄをＺ状に折り曲げて加熱加圧処理する構造であるが、その他の構造でもよい。
図９は、他の実施例を示している。この例では、真中の紙葉片２１ｃに対して第１の紙葉片２１ｂを折り曲げて、さらにその上に第２の紙葉片２１ｄを折り曲げる。第１のフィルム状接着剤２２は真中の紙葉片２１ｃと第１の紙葉片２１ｂ間に置かれ、第２のフィルム状接着剤２３は、第１の紙葉片２１ｂの上に置かれる。非接触ＩＣカード３０の周囲に形成される切り込み２１ａは、真中の紙葉片２１ｃに第１の紙葉片２１ｂを重ねた状態で形成される。
以上のようにして、郵便ハガキが形成される。
図１０は、郵便ハガキ２１から抜き取った非接触ＩＣカード３０を利用する方法について説明する図である。郵便ハガキ２１が郵送されてくると、そのハガキ２１から非接触ＩＣカード３０を取り外して、展示会招待カード４として使用する。非接触ＩＣカード３０とカードデータ読み取り装置４０とは電磁結合することによってデータの送受信を行うことができる。すなわち、カードデータ読み取り装置４０のアンテナと非接触ＩＣカード３０のアンテナ３２とが結合し、非接触ＩＣカード３０が誘導電圧を得てＩＣチップ３１の動作電源とする。この時、搬送波がＦＳＫ変調等によって変調されていれば、ＩＣチップ３１がその変調波を復調することによってデータを受信することができる。また、そのデータをＩＣチップ内のメモリに記憶することもできる。さらに、カードデータ読み取り装置４０側から送られてくる電磁波の搬送波をＩＣチップ３１によって変調することも可能である。このようにすると、非接触ＩＣカード３０側からＩＣカードデータ読み取り装置４０に対してデータを送信することができる。このような電磁誘導によって非接触ＩＣカード３０とカードデータ読み取り装置４０とのデータ送受信は、カード３０をカードデータ読み取り装置４０に数ｃｍ程度まで近づけることによってのみ可能であるため、非接触ＩＣカード３０を遠方で所持していてもＩＣチップが作動して内部の記憶データが変わるということがない。
図１１は、カードデータ読み取り装置４０の概略の構成図を示している。ＣＰＵ４８とＲＯＭ４１、ＲＡＭ４２を備え、さらにインターフェイスを介して、非接触ＩＣカード３０に対して書き込むデータ等を入力する入力装置４３、書き込みデータを送信する書き込み装置４４、読み取りデータを受信する読み取り装置４５、リードライトしたデータを印刷する印刷装置４６とを備えている。なお、書き込み装置４４および読み取り装置４５はループアンテナ４７に接続されており、非接触ＩＣカード３０のループアンテナとの結合による書き込み（ライト）と読み取り（リード）を行うようにしている。
図１２は、非接触ＩＣカード３０の構成図である。
ＩＣチップ３１は、ＣＰＵ５０、ＲＯＭ５１、ＲＡＭ５２、ＥＥＰＲＯＭ５３、およびインターフェイスを介して接続される送受信回路５４とで構成されている。送受信回路５４は、結合時に電源を各部に出力する。ＥＥＰＲＯＭ５３は、宛先の氏名（顧客）のＩＤコードを記憶したり、その他用途に応じた各種の情報を記憶する。ＥＥＰＲＯＭで構成されるために、電源が供給されなくてもデータの保存が可能である。
以上の実施形態は、セミナー招待カード、その発行方法および来場者の情報管理システムにも同様に適用することができる。
本発明によれば、非接触ＩＣカードを含む紙葉類を展示会招待客に郵送し、紙葉類から非接触ＩＣカードを切り離して展示会招待カードとして利用することができる。このため、展示会会場では、受付業務が簡素化され、また、リアルタイムで来場者の人数や、傾向を把握することが可能である。
また、招待客情報は非接触ＩＣカードに記憶されているために、この非接触ＩＣカードを招待カードとして使用する時にデータのやりとりが可能になる。したがって、来場者のデータの収集や分析がコンピュータを利用することによって容易に且つ正確に行なうことができる。
また、来場者は、非接触ＩＣカードでできた招待カードを携行するだけでよく、受け付け業務が簡素化、電子化され、名刺の受け渡しなどのわずらわしさがない。
また、非接触ＩＣカードは、紙葉片内に隠れてしまうため、印刷面積を大きく取ることが出来る。また、非接触ＩＣカードを紙葉片によってサンドイッチ状態で加熱加圧処理するために、加熱加圧時の加圧を紙葉片により吸収することが出来る。このため、非接触ＩＣカードに過大な応力が加わらない。
産業上の利用可能性
本発明は、各種製品の展示会やセミナーにおいて来場者の受付を自動的に行うことが可能な展示会等招待カードの発行に利用することができる。
【図面の簡単な説明】
図１は、この発明の実施形態である展示会来場者管理システムの概要図。
図２は、展示会場における来場者の情報の流れを示すフローチャート図。
図３は、非接触ＩＣカードを備えた郵便ハガキの外観図。
図４は、各紙葉片の折り曲げ状態を示す図。
図５は、各紙葉片の折り曲げ状態を他の方向から示す図。
図６は、各紙葉片をＺ状に折り曲げることを示す図。
図７は、切り込み形成後に第２の紙葉片を接着する状態を示す図。
図８は、第２の紙葉片を剥がすときの状態を示す図。
図９は、他の実施例の郵便ハガキを示す図。
図１０は、郵便ハガキから抜き取った非接触ＩＣカードを利用する方法について説明する図。
図１１は、カードデータ読み取り装置４０の概略の構成図。
図１２は、非接触ＩＣカード３０の構成図。
【図１】
2003037646.tif 000003
【図２】
2003037646.tif 000004
【図３】
2003037646.tif 000005
【図４】
2003037646.tif 000006
【図５】
2003037646.tif 000007
【図６】
2003037646.tif 000008
【図７】
2003037646.tif 000009
【図８】
2003037646.tif 000010
【図９】
2003037646.tif 000011
【図１０】
2003037646.tif 000012
【図１１】
2003037646.tif 000013
【図１２】
2003037646.tif 000014
【手続補正書】
【提出日】平成14年4月12日(2002.4.12)
【手続補正１】
【補正対象書類名】明細書
【補正対象項目名】請求項１
【補正方法】変更
【補正の内容】
【請求項１】
１枚の紙葉類を真中の紙葉片とこれに連続する第１の紙葉片と第２の紙葉片で構成し、前記真中の紙葉片に対して前記第１の紙葉片を接着する第１のフィルム状接着層と、前記真中の紙葉片に対して前記第２の紙葉片を接着する第２のフィルム状接着層とを備え、前記真中の紙葉片に対して前記第１の紙葉片と前記第２の紙葉片をＺ状に折り曲げて加熱加圧することにより、前記真中の紙葉片の両面に前記第１の紙葉片と前記第２の紙葉片を接着するようにした紙葉類であって、
前記第１のフィルム状接着層と前記真中の紙葉片との間に、顧客情報及び展示会またはセミナーの情報を記憶したＩＣチップと印刷により得られるループアンテナとを含む非接触ＩＣカードを載置して、これを前記第１のフィルム状接着層と前記真中の紙葉片との間にサンドイッチ状に挟み込んだ状態で前記加熱加圧の処理を行い、前記第１のフィルム状接着層は、加熱加圧処理をすることによって剥離不可となるフィルム状接着層で構成し、前記第２のフィルム状接着層は、加熱加圧処理をすることによって剥離可能となるフィルム状接着層で構成し、前記真中の紙葉片と前記第１の紙葉片には、前記ＩＣカードの周囲に沿って切り込みが形成され、前記第１の紙葉片の前記切り込み内には顧客宛先が印刷されており、前記真中の紙葉片と前記第２の紙葉片との接着面には展示会またはセミナーの情報が印刷されていることを特徴とする、展示会等招待カード。
【手続補正２】
【補正対象書類名】明細書
【補正対象項目名】請求項２
【補正方法】変更
【補正の内容】
【請求項２】
１枚の紙葉類を真中の紙葉片とこれに連続する第１の紙葉片と第２の紙葉片で構成し、前記真中の紙葉片に対して前記第１の紙葉片を接着する第１のフィルム状接着層と、前記第１の紙葉片に対して前記第２の紙葉片を接着する第２のフィルム状接着層とを備え、前記真中の紙葉片に対して前記第１の紙葉片を折り曲げて、さらにその上に前記第２の紙葉片を折り曲げて加熱加圧することにより、前記真中の紙葉片に対して前記第１の紙葉片と前記第２の紙葉片を接着するようにした紙葉類であって、
前記第１のフィルム状接着層と前記真中の紙葉片との間に、顧客情報及び展示会またはセミナーの情報を記憶したＩＣチップと印刷により得られるループアンテナとを含む非接触ＩＣカードを載置して、これを前記第１のフィルム状接着層と前記真中の紙葉片との間にサンドイッチ状に挟み込んだ状態で前記加熱加圧の処理を行い、前記第１のフィルム状接着層は、加熱加圧処理をすることによって剥離不可となるフィルム状接着層で構成し、前記第２のフィルム状接着層は、加熱加圧処理をすることによって剥離可能となるフィルム状接着層で構成し、前記真中の紙葉片と前記第１の紙葉片には、前記ＩＣカードの周囲に沿って切り込みが形成され、前記真中の紙葉片の前記切り込み内には顧客宛先が印刷されており、前記第１の紙葉片と前記第２の紙葉片との接着面には展示会またはセミナーの情報が印刷されていることを特徴とする、展示会等招待カード。
【国際調査報告】
2003037646.tif 000015
2003037646.tif 000016
2003037646.tif 000017
2003037646.tif 000018